(57)【特許請求の範囲】
【請求項１】
領域の広さが異なる地図情報を無線で配信する局から地図情報を受信する通信回路と、該通信回路の受信強度に基づいて受信する地図情報の領域の広さを選択する制御手段とを備えたことを特徴とするナビゲーション装置。
【請求項２】
複数の尺度の地図情報を無線で配信する局から地図情報を受信する通信回路と、該通信回路の受信強度に基づいて受信する地図情報の尺度を選択する制御手段とを備えたことを特徴とするナビゲーション装置。
【請求項３】
複数の区分に分割された地図情報を無線で配信する局から地図情報を受信する通信回路と、該通信回路の受信強度に基づいて受信する地図情報の区分の数を決定する制御手段とを備えたことを特徴とするナビゲーション装置。
【発明の詳細な説明】
【０００１】
【発明の属する技術分野】
本発明は、地図情報を受信するナビゲーション装置に関する。
【０００２】
【従来の技術】
小型・軽量化のために、ＣＤ−ＲＯＭやＤＶＤ−ＲＯＭ等のディスクドライブ装置を搭載せず、スマートメディアやコンパクトフラッシュ、メモリスティック、ＳＤカード等の小型の記憶媒体を搭載するナビゲーション装置が考えられた。
【０００３】
このような小型のナビゲーション装置は記憶媒体の記憶容量が小さいために、多くの地図を記憶することができない。そこで、少ない記憶容量を補うために、携帯電話などの無線を使用して不足する地図や周辺情報を受信することが考えられた（特許登録第２９１０５４４号公報参照）。
【０００４】
【発明が解決しようとする課題】
しかしながら、受信不可能な圏外に向かって移動すると、次第に電波強度が弱くなり、ついには地図や周辺情報を受信できなくなるという問題が生じる。
【０００５】
【課題を解決するための手段】
本発明のナビゲーション装置はかかる点に鑑みなされたもので、領域の広さが異なる地図情報を無線で配信する局から地図情報を受信する通信回路と、該通信回路の受信強度に基づいて受信する地図情報の領域の広さを選択する制御手段とを備える。
【０００６】
これにより、圏外になって地図を受信できなくなったときに、長時間使用できる地図を表示することができる。
【０００７】
また、複数の尺度の地図情報を無線で配信する局から地図情報を受信する通信回路と、該通信回路の受信強度に基づいて受信する地図情報の尺度を選択する制御手段とを備える。
【０００８】
これにより、圏外になって地図を受信できなくなったときに、広範囲な地図を表示することができる。
【０００９】
また、複数の区分に分割された地図情報を無線で配信する局から地図情報を受信する通信回路と、該通信回路の受信強度に基づいて受信する地図情報の区分の数を決定する制御手段とを備える。
【００１０】
これにより、圏外になって地図を受信できなくなったときに、広範囲な地図を表示することができる。
【００１１】
【発明の実施の形態】
本発明の第１の実施例を図面に基づき説明する。本実施例のナビゲーション装置は地図情報や周辺情報を記憶容量の小さい記憶媒体から読み取る装置である。
【００１２】
図１は第１の実施例の要部の構成を示すブロック図である。（１）は制御回路であり、ＲＯＭ（２）に書き込まれたプログラムに基づいて各部を制御する。（３）はＲＡＭであり、制御回路（１）の動作に必要な情報を記憶する。（４）はＧＰＳ（Ｇｌｏｂａｌ  Ｐｏｓｉｔｉｏｎｉｎｇ  Ｓｙｓｔｅｍ）測位手段であり、ＧＰＳ衛星からの電波を受信して現在位置を測定し、測定データを制御回路（１）に出力する。（５）は記憶容量３２ＭＢの不揮発性メモリからなるコンパクトフラッシュであり、地図情報が書き込まれている。コンパクトフラッシュ（５）はＣＤやＤＶＤと比較して記憶容量が小さいために、尺度が小さい全国地図を記憶する。現在位置の尺度が大きな地方地図は通信により受信してＲＡＭ（３）に記憶される。（６）は液晶の表示部であり、地図情報や現在位置を制御回路（１）の制御に基づき表示する。（７）は使用者が操作を行う入力部である。
【００１３】
次に第１の実施例の動作を示す。図２はナビゲーション装置の制御回路（１）の動作を示すフローチャートであり、図３は制御回路（１）の動作を示す表である。
【００１４】
ここで、図３に示す如く、制御回路（１）は通信回路（８）で受信した受信強度の強弱を、−５０ｄＢ以上を“強”、−８５ｄＢ以上，−５０ｄＢ未満を“中”、−１００ｄＢ以上，−８５ｄＢ未満を“弱”、−１００ｄＢ未満を“微弱”と判定する。そして、基地局はナビゲーション装置の表示部１画面の大きさの区画で分割された複数の地図を夫々４種類の尺度で送信する。夫々の地図情報には領域の緯度経度情報と尺度情報が含まれ、ナビゲーション装置は現在位置を含む所望の尺度の地図を選択的に受信することができる。図４〜図７に示す如く、４種類の尺度は大きい順に1/2500，1/10000，1/50000，1/200000であり、尺度が大きい程詳細な地図情報を有する。
【００１５】
図２に於いて、制御回路（１）は所定距離走行する度に（Ｓ１，Ｓ２）、現在位置が含まれる地図を通信回路（８）で受信させる（Ｓ３〜Ｓ１３）。制御回路（１）は、図２，図３に示す如く、受信強度が“強”あるいは“中”の場合（Ｓ３のＹ）、時速７０ｋｍ未満であれば尺度1/2500の地図を受信させてＲＡＭ（３）に記憶させ（Ｓ４のＹ，Ｓ５）、時速７０ｋｍ以上であれば尺度1/10000の地図を受信させてＲＡＭ（３）に記憶させる（Ｓ４のＮ，Ｓ６）。受信強度が“弱”の場合（Ｓ７のＹ）、時速７０ｋｍ未満であれば尺度1/10000の地図を受信させてＲＡＭ（３）に記憶させ（Ｓ９のＹ，Ｓ９）、時速７０ｋｍ以上であれば尺度1/50000の地図を受信させてＲＡＭ（３）に記憶させる（Ｓ９のＮ，Ｓ１０）。受信強度が“微弱”の場合（Ｓ７のＮ）、時速７０ｋｍ未満であれば尺度1/50000の地図を受信させてＲＡＭ（３）に記憶させ（Ｓ１１のＹ，Ｓ１２）、時速７０ｋｍ以上であれば尺度1/200000の地図を受信させてＲＡＭ（３）に記憶させる（Ｓ１１のＮ，Ｓ１３）。
【００１６】
このように、受信する地図の尺度を選択可能な場合、本発明のナビゲーション装置は受信強度が弱くなると、尺度の小さな地図を選択して受信し、広範囲な地図を記憶させる。これにより、圏外になって地図をできなくなったときは、広範囲な地図を表示することができる。また、このとき、移動速度が早いときは、より尺度の小さな地図を受信することにより、詳細度より広範囲を優先して、長時間使用できる地図を表示することができる。
【００１７】
尚、第１の実施例では移動速度が早いときは尺度の小さな地図を受信したが、高速道路や有料道路のときに尺度の小さな地図を受信してもよい。これを第２の実施例とし、その動作を図８の表に示す。
【００１８】
次に第３の実施例を説明する。図１０に示す如く、第３の実施例での単位区画の大きさはナビゲーション装置の表示部を縦３分割、横３分割したものであり、９区画で１画面の大きさになる。基地局はこの区画で分割された地図を１種類の尺度で送信する。夫々の区画の地図情報には領域の緯度経度情報が含まれ、ナビゲーション装置は所望の区画の地図を複数選択的に受信することができる。
【００１９】
図９は第３の実施例のナビゲーション装置の制御回路（１）の動作を示すフローチャートである。制御回路（１）は、現在位置の区画がＲＡＭ（３）に記憶されている地図の端の区画になったときに（Ｓ２１）、現在位置の企画が中央の区画になるように、不足の区画の地図を通信回路（８）で受信させて、ＲＡＭ（３）に記憶させる（Ｓ２２〜Ｓ２４）。受信する領域は電界強度によって異なり、制御回路（１）は、１００ｄＢ未満であれば９区画の地図領域（図１０参照）を受信させ（Ｓ２２のＹ、Ｓ２３）、１００ｄＢ以上であれば４９区画の地図領域（図１１参照）を受信させる（Ｓ２２のＮ、Ｓ２４）。
【００２０】
例えば、９区画の図１０の場合、現在位置が中央区画のＬ１から右上端の区画のＬ２に移動すると、Ｌ２が位置する区画を中央とする９区画の内、ＲＡＭ（３）に記憶されていない５区画（図１０の斜線）を受信する。この場合、常に画面表示に必要な最低限の受信を行い、通信費と記憶容量の削減になる。４９区画の図１１の場合、現在位置が中央区画のＬ１から右上端の区画のＬ２に移動すると、Ｌ２が位置する区画を中央とする４９区画の内、ＲＡＭ（３）に記憶されていない４０区画（図１０の斜線）を受信する。４９区画の地図を記憶している場合、現在位置が端の２４区画の領域になるまでは新たな地図を受信しなくてもよい。この場合、画面表示以上の領域の地図を受信し、地図の受信が不可能になった場合に備えることができる。
【００２１】
【発明の効果】
上述の如く、本発明は、走行中に地図を受信する場合、受信強度が弱くなると広範囲の地図を受信する。これにより、圏外になって地図を受信できなくなったときに、長時間使用できる地図を表示できるように、予め広範囲な地図を受信することができる。
【図面の簡単な説明】
【図１】本発明の第１の実施例の構成を示すブロック図である。
【図２】第１の実施例の動作を示すフローチャートである。
【図３】第１の実施例の動作を示す表である。
【図４】尺度1/2500の地図を示す図である。
【図５】尺度1/10000の地図を示す図である。
【図６】尺度1/50000の地図を示す図である。
【図７】尺度1/200000の地図を示す図である。
【図８】第２の実施例の動作を示す表である。
【図９】第３の実施例の動作を示すフローチャートである。
【図１０】第３の実施例で受信する狭い地図領域を示す図である。
【図１１】第３の実施例で受信する広い地図領域を示す図である。
【符号の説明】
１  制御回路
３  ＲＡＭ
４  ＧＰＳ測位手段
５  コンパクトフラッシュ
６  表示手段
８  通信回路
【図１】
0003768115.tif 000002
【図２】
0003768115.tif 000003
【図３】
0003768115.tif 000004
【図４】
0003768115.tif 000005
【図５】
0003768115.tif 000006
【図６】
0003768115.tif 000007
【図７】
0003768115.tif 000008
【図８】
0003768115.tif 000009
【図９】
0003768115.tif 000010
【図１０】
0003768115.tif 000011
【図１１】
0003768115.tif 000012